(57)【要約】【課題】  連結部を設けたガイド本体を、ロッドの先端に設けた受部に着脱自在に取り付けることにより、ロッドが破損した場合や釣糸案内環等が破損した場合においても簡単に取り替えできる釣竿用着脱ガイド及び振出式釣竿を提供する。【解決手段】  振出式釣竿における各ロッドに設けたガイドであって、連結部に釣糸案内環を設けたガイド本体と、ロッドにガイド本体の連結部を着脱自在に取り付ける受部とからなることを特徴とする。【選択図】  図１
2006280355.tif 000002
【特許請求の範囲】
【請求項１】
振出式釣竿における各ロッドに設けたガイドであって、連結部に釣糸案内環を設けたガイド本体と、ロッドにガイド本体の連結部を着脱自在に取り付ける受部とからなることを特徴とする釣竿用着脱ガイド。
【請求項２】
連結部が雌ネジ体であり、受部が雄ネジ体であることを特徴とする請求項１記載の釣竿用着脱ガイド。
【請求項３】
連結部が雄ネジ体であり、受部が雌ネジ体であることを特徴とする請求項１記載の釣竿用着脱ガイド。
【請求項４】
連結部が係止溝を形設すると共に、受部が係止片を突設してなることを特徴とする請求項１記載の釣竿用着脱ガイド。
【請求項５】
連結部及び／または受部に回止部を設けてなることを特徴とする請求項１、２、３又は４記載の釣竿用着脱ガイド。
【請求項６】
上記請求項１ないし請求項５の少なくとも１つの釣竿用着脱ガイドを使用してなることを特徴とする振出式釣竿。
【発明の詳細な説明】
【技術分野】
【０００１】  本発明は、主に振出式釣竿のロッドの先端に着脱自在に取り付ける釣竿用着脱ガイド及び振出式釣竿に関するものである。
【背景技術】
【０００２】  従来の技術として、図１３及び図１４に示すように、特にロッドＲの先端に設けてなるガイドＧは、ロッド先端に接着剤Ｓを塗布し、ガイドＧを押し付けて固着している。【０００３】  また、別の従来の技術として、穂先竿を保持する穂持竿に振出継合した穂先竿の外周に釣糸を案内するトップガイド及び複数の遊動ガイドを配置した振出式釣竿において、トップガイドは、穂先竿の先端外周に固定された固定管と、この固定管に着脱自在に嵌合する合成樹脂材からなるトップガイド本体とを備えているものがある。（特許文献１参照）【０００４】  さらに、穂先竿の穂先側先端に固定され穂先側端部外周面に雌ねじ部を有する略筒状の連結部材と、連結部材の雌ねじ部に着脱自在に連結され周面に孔が形成された筒状体と、孔から一部が露出するように径方向に変位自在に筒状体の内部に配置されたリング部材とを備えているトップガイドがある（特許文献２参照）
【特許文献１】  特開２０００−３００１２２号公報
【特許文献２】  特開２００２−２６２７２４号公報
【発明の開示】
【発明が解決しようとする課題】
【０００５】  上記の従来技術として、現状で販売されている振出式釣竿のガイドは、すべて接着剤で加工されているため、破損時等において取り替えができない。
また、特許文献１及び２においては、穂先竿のみの先端に着脱自在にトップガイドを取り付けるもので、各ロッドに取り付けるものではなく、破損時等において接着剤で取り付けているため、これもまた取り替えができない。【０００６】  本発明は、このような従来の構成が有していた問題を解決しようとするもので、連結部を設けたガイド本体を、ロッドの先端に設けた受部に着脱自在に取り付けることにより、ロッドが破損した場合や釣糸案内環等が破損した場合においても簡単に取り替えできる釣竿用着脱ガイド及び振出式釣竿を提供することを目的とする。
【課題を解決するための手段】
【０００７】  そして、本発明は上記目的を達成するために、釣竿用着脱ガイドにおいては、振出式釣竿における各ロッドに設けたガイドであって、連結部に釣糸案内環を設けたガイド本体と、ロッドにガイド本体の連結部を着脱自在に取り付ける受部とからなること。連結部が雌ネジ体であり、受部が雄ネジ体であること。連結部が雄ネジ体であり、受部が雌ネジ体であること。連結部が係止溝を形設すると共に、受部が係止片を突設してなること。連結部及び／または受部に回止部を設けてなることを特徴とする。
また、振出式釣竿においては、上記請求項１ないし請求項５の少なくとも１つの釣竿用着脱ガイドを使用してなることを特徴とする。
【発明の効果】
【０００８】  本発明は、以下の効果を有する。
１）、連結部に釣糸案内環を設けたガイド本体と、ロッドにガイド本体の連結部を着脱自在に取り付ける受部とから構成される釣竿用着脱ガイドにより、ロッドが破損した場合はガイド本体を再利用でき、ガイド本体が破損した場合はロッドを再利用できる効果がある。
２）、連結部を雌ネジ体に、受部を雄ネジ体にすることにより、簡単にねじ込んで取り付け、取り外しができる効果がある。
３）、連結部を雄ネジ体に、受部を雌ネジ体にすることにより、ロッドの内部に取り付け、取り外しができ、コンパクトに設計できる効果がある。
４）、連結部が係止溝を形成し、受部が係止片を突設することにより、ワンタッチで取り付けることができる効果がある。
５）、回止部を設けることにより連結部が緩むことなく所要位置にて固定できる効果がある。
６）、釣竿用着脱ガイドを使用してなる振出式釣竿は、釣竿用着脱ガイドやロッドが破損しても簡単に取り替えることができ、コストも安価で、周囲の部材を有効に使用できる。
【発明を実施するための最良の形態】
【実施例】
【０００９】  以下、本発明の実施例を図面に基づいて説明する。
釣竿用着脱ガイド１は、主に振出式釣竿における各ロッドＲ１の先端に設けたガイドであって、内側に雌ネジ体２ａ１を形成してなる連結部２ａに、釣糸案内環２ｂを設けてなるガイド本体２と、ロッドＲ１の先端外周にガイド本体２の連結部２ａの雌ネジ体２ａ１を螺設して着脱自在に取り付ける雄ネジ体３ａによる受部３とからなり、受部３は接着剤等で固着するか、一体成形してある。【００１０】  釣竿用着脱ガイド２１は、外側に突出した雄ネジ体２２ａ１を形成してなる連結部２２ａに、釣糸案内環２２ｂを設けてなるガイド本体２２と、ロッドＲ２の先端内周にガイド本体２２の連結部２２ａの雄ネジ体２２ａ１を螺設して着脱自在に取り付ける雌ネジ体２３ａによる受部２３とからなり、受部２３は直接加工するか、埋め込みタイプとする。
なお、ゴムリング等による回止部４を雄ネジ体２２ａ１の後端に設けてある。
また、ロッドＲ１と連結部２２ａの外径は同径とするのが望ましい。【００１１】  釣竿用着脱ガイド３１は、ガイド本体３２の連結部３２ａ内周面に係止溝３２ａ１を設け、該係止溝３２ａ１（釣糸案内環３２ｂ）の真下の位置に係止ピン３２ａ２を突設すると共に、係止溝３２ａ２の真上の位置に通溝３２ａ３を設ける。
また、ロッドＲ３の先端頂部に係止片３３ａによる受部３３を設けてある。【００１２】  上記釣竿用着脱ガイド３１の使用方法は、まずガイド本体３２の通溝３２ａ３に、ロッドＲ３の係止片３３ａを挿入した後、ガイド本体３２を係止溝３２ａ２に沿って回転させ、係止片３３ａが係止ピン３２ａ２と接合した時点で固定される。【００１３】  振出式釣竿５は、上記各実施例における釣竿用着脱ガイド１・２１・３１のいずれか１つの釣竿用着脱ガイドを設けてなるものである。【００１４】  上記各実施例において、ガイド本体及び受部の材質は特に限定するものではないが、合成樹脂等が適当である。
また、回止部もゴムリングに限定するものではなく、同様な機能を有するものであれば、他のものでもよい。
【図面の簡単な説明】
【００１５】
【図１】  本発明の第１実施例を示す釣竿用着脱ガイドの連結前の正面図。
【図２】  本発明の第１実施例を示す釣竿用着脱ガイドの連結後の正面図。
【図３】  本発明の第１実施例を示す釣竿用着脱ガイドの側面図。
【図４】  本発明の第２実施例を示す釣竿用着脱ガイドの連結前の正面図。
【図５】  本発明の第２実施例を示す釣竿用着脱ガイドの連結後の正面図。
【図６】  本発明の第３実施例を示す釣竿用着脱ガイドのガイド本体の正面図。
【図７】  本発明の第３実施例を示す釣竿用着脱ガイドのガイド本体の側面図。
【図８】  本発明の第３実施例を示す釣竿用着脱ガイドの受部の正面図。
【図９】  本発明の第３実施例を示す釣竿用着脱ガイドの受部の側面図。
【図１０】  本発明の第３実施例を示す釣竿用着脱ガイドの連結前の正面図。
【図１１】  本発明の第３実施例を示す釣竿用着脱ガイドの連結後の正面図。
【図１２】  本発明の第１実施例を示す振出式釣竿の要部正面図。
【図１３】  従来例を示す釣竿用着脱ガイドの連結前の正面図。
【図１４】  従来例を示す釣竿用着脱ガイドの連結後の正面図。
【符号の説明】
【００１６】１−−−釣竿用着脱ガイド
２−−−ガイド本体
３−−−受部
４−−−回止部
５−−−振出式釣竿
【図１】
2006280355.tif 000003
【図２】
2006280355.tif 000004
【図３】
2006280355.tif 000005
【図４】
2006280355.tif 000006
【図５】
2006280355.tif 000007
【図６】
2006280355.tif 000008
【図７】
2006280355.tif 000009
【図８】
2006280355.tif 000010
【図９】
2006280355.tif 000011
【図１０】
2006280355.tif 000012
【図１１】
2006280355.tif 000013
【図１２】
2006280355.tif 000014
【図１３】
2006280355.tif 000015
【図１４】
2006280355.tif 000016